(57)【要約】【課題】  履いて足指を動かすことにより足の踏ん張り力を向上させることができる中敷きを提供することを目的としている。【解決手段】  履物、例えば普段使用しているスニーカーやスリッパ、サンダル等の足の形状を持った中敷き１で、該中敷き１の先端部５を足指が付け根から曲げられるように、親指の乗る部分は、略平行に切り落として、平行切り落とし部３を設け、第２指から第５指の乗る部分は略斜めに切り落として、斜め切り落とし部４を設け、親指と第２指の間の部分は、切り落とさずに残して、その上面に、全体が弾力性のある部材で形成された高さのある指間パッド２を貼り付けて設け、足指の折り曲げる運動ができる足の踏ん張り力を向上させる中敷き。【選択図】図２
2017121389.tif 000002
【特許請求の範囲】
【請求項１】
履物、例えば普段使用しているスニーカーやスリッパ、サンダル等の足の形状を持った中敷きで、該中敷きの先端部を足指が付け根から曲げられるように、親指の乗る部分は、略平行に切り落として、平行切り落とし部を設け、第２指から第５指の乗る部分は略斜めに切り落として、斜め切り落とし部を設け、親指と第２指の間の部分は、切り落とさずに残して、その上面に、全体が弾力性のある部材で形成された高さのある指間パッドを貼り付けて設け、足指の折り曲げる運動ができることを特徴とする足の踏ん張り力を向上させる中敷き。
【請求項２】
前記親指と第２指の間の部分に設けた指間パッドに加えて第４指と第５指の間の部分にも高さのある指間パッドを設けたことを特徴とする請求項１に記載の足の踏ん張り力を向上させる中敷き。
【発明の詳細な説明】
【技術分野】
【０００１】
本発明は、外出時や歩行時にスニーカー等の靴内に装着して足指を動かすことにより足の踏ん張り力を向上させることと、外反母趾を矯正することができる高さのあるインソール（以下、中敷きという）に関するものである。
【背景技術】
【０００２】
時代の変化、ライフスタイルの変化に伴って現代人の足には異変が起こってきている。
その異変とは、外反母趾や浮き指、筋力の低下などによる後天性の足の踏ん張り力の低下等の足裏の異常である。
これらの足裏の異常は、体の重心を踵へと片寄らせ、左右の足の微妙に異なる重心の片寄りによって生じる左右差に伴って足裏が不安定になる。
外反母趾や浮き指、後天性の足の踏ん張り力の低下や偏平足で足裏が不安定になると、この不安定さを補うために身体の姿勢が崩れてしまい、骨盤や首などにズレや歪みが生じる。このズレたり歪んだりした部分に、踵からの過剰な衝撃やねじれが繰り返され、原因のはっきりしない痛みや体の不調の要因となっている。
また、上記の足の異常は、若年化が進んでおり、現状では小中学生の約６０％に足裏の異常が見られる現実から、子供の足裏を発達させ、踏ん張り力をつけ、体を守ることが最優先されるべきだと考える。
従来技術としては、今まで、上記足裏の異常から発生する外反母趾を改善させるための矯正履物（例えば、特許文献１参照）が存在している。その構造は、本体部分をなす基台部と、該基台部を足甲に固定する被甲部とから矯正履物において、該基台部が、該基台部上面で、足裏の内側足根小球及び外側足根小球から指裏が接し、爪先方向に向かって下がる前方足裏載置面と、該前方足裏載置面の親指と人差し指との間の位置から起立し、該親指と該人差し指とを離間させる指間板とからなるものである。
もちろん、現在外反母趾等の足に異常を感じている人の治療は必要不可欠だが、異常を感じる前に訓練をして足裏の異常を防止することもとても大切である。
また、足の指を訓練する従来技術としては、足裏が接する接足面を体重移動手段として爪先上がりの傾斜状に形成するとともに足指の付け根部位の近傍にグリップを形成し、体重移動するときに足指を折り曲げ前記グリップに掴まれるようにした履物（例えば、特許文献２参照）が存在している。
【先行技術文献】
【特許文献】
【０００３】
【特許文献１】特開２０１１−１０４２３３号公報（特許請求の範囲の欄、発明の詳細な説明の欄、及び図１〜図４を参照）
【特許文献２】特開２００６−３０５２６５号公報（特許請求の範囲の欄、発明の詳細な説明の欄、及び図１〜図１０を参照）
【発明の概要】
【発明が解決しようとする課題】
【０００４】
しかしながら、前記従来技術の特許文献１で示した矯正履物は、足の筋肉を引き締めると共に外反母趾の予防や改善が目的であり、足の指を動かす訓練を反復して行うことによって得ることができる踏ん張り力を付けることができなかった。
また、従来技術特許文献２で示した足指のトレーニング履物では、折り曲げ運動が可能であると記載されているが、通常足の指は曲げようとすると、親指が他指側に向かって折れ曲がったり、他指も親指側に向かって折れ曲がる傾向がある。そのため、五本の指でバランスよく地面を強く踏み込むことはできず、前記従来技術では、外反母趾、浮き指、後天性の偏平足の予防となる踏ん張り力の訓練には好適ではない。
そこで、本発明は、上記課題を解決する、履物自体の工夫ではなく、安価に提供できる既存の普段使用しているスニーカーやスリッパなどの中敷きとして使用できる足の踏ん張り力を向上させる高さのある足指パッド付き中敷きを提供することを目的としている。
【課題を解決するための手段】
【０００５】
上記の目的を達成することができる本発明の第１発明は、請求項１に記載された通りの中敷きであり、次のようなものである。
履物、例えば普段使用しているスニーカーやスリッパ、サンダル等の足の形状を持った中敷きで、該中敷きの先端部を足指が付け根から曲げられるように、親指の乗る部分は、略平行に切り落として、平行切り落とし部を設け、第２指から第５指の乗る部分は略斜めに切り落として、斜め切り落とし部を設け、親指と第２指の間の部分は、切り落とさずに残して、その上面に、全体が弾力性のある部材で形成された高さのある指間パッドを貼り付けて設け、足指の折り曲げる運動ができる構成である。
【０００６】
上記の目的を達成することができる本発明の第２発明は、請求項２に記載された通りの中敷きであり、次のようなものである。
請求項１に記載の発明に加えて、前記親指と第２指の間の部分に設けた高さのある指間パッドに加えて第４指と第５指の間の部分にも高さのある指間パッドを設ける構成である。
【発明の効果】
【０００７】
本発明に係る中敷きは、上記説明のような構成を有するので、以下に記載する効果を奏する。
（１）本発明の中敷きの先端部で足指の付け根から足指の曲げ伸ばし運動ができ、例えば「グー」・「パー」の運動をすることによって、足の指先が履物から出ている状態で踏ん張る時に、一番重要な中足関節が曲るので、踏ん張りが強くなり、踏ん張り力が強化され、鍛えられる。さらに、中足関節が曲げられるので、足裏のアーチが再生され、足底筋群を鍛えられ、結果として踏ん張り力を鍛えることによって、外反母趾、浮き指、後天性の偏平足の予防、改善に効果があるものである。
（２）履物自体ではなく、安価に提供できる履物用の中敷きで、外反母趾、浮き指、後天性の偏平足、内反小指の予防、改善を奏するものである。
（３）足の親指と第２指の間に形成した高さのある指間パットを設けることによって、足指の曲げる運動をする際に、内側にねじれるように曲がる足指を真っ直ぐに矯正・案内しながら「グー」、「パー」の運動を行うことができ、足指の正しい姿勢での踏ん張り力を向上させることができる。
（４）請求項２に記載のように、第４指と第５指の間にも高さのある指間パッドを設けることによって外反母趾、浮き指、後天性の偏平足の予防、改善だけでなく、内反小指の予防改善にも効果を奏するものである。
（５）足指の屈曲時に親指と第２指の間に高さのある指間パッドがあるので、屈曲時に親指と第２指が合わさらない。
（６）足の怪我や麻痺を負った人のリハビリに利用することもできる。
【発明を実施するための形態】
【０００８】
履物、例えば普段使用しているスニーカーやスリッパ、サンダル等の足の形状を持った中敷きで、該中敷きの先端部を足指が付け根から曲げられるように、親指の乗る部分は、略平行に切り落として、平行切り落とし部を設け、第２指から第５指の乗る部分は略斜めに切り落として、斜め切り落とし部を設け、親指と第２指の間の部分は、切り落とさずに残して、その上面に、全体が弾力性のある部材で形成された高さのある指間パッドを貼り付けて設け、足指の折り曲げる運動ができる中敷きである。
【図面の簡単な説明】
【０００９】
【図１】本発明の足の踏ん張り力を向上させる中敷きの一実施例を示すもので、（ａ）は概略平面図、（ｂ）は指間パッドの部分概略斜視図である。
【図２】本発明の足の踏ん張り力を向上させる中敷きの使用状態を示す概略平面図である。
【図３】本発明の足の踏ん張り力を向上させる中敷きを示す概略側面図である。
【図４】本発明の足の踏ん張り力を向上させる中敷きの指間パッドを示す概略斜視図である。
【図５】本発明の足の踏ん張り力を向上させる中敷きを靴内に挿入して使用した足の指を付け根から曲げた状態を示す概略正面図である。
【図６】本発明の中敷きに足を乗せた状態を示す概略平面図である。
【実施例１】
【００１０】
身体の健康促進や、健康を維持するために足の健康が重要であることは一般に認識されており、特に足の健康の中でも足指運動、すなわち５本の足指を折り曲げ屈伸動作させて足指関節が持つ、本来の機能を発揮させるために運動は必要で、この運動は末梢の血液循環を良くして、健康促進、老化防止に有用である。
このことから従来の履物、例えばスニーカー、スリッパ、ビーチサンダルは、足指の５本の指の根元から下方に折り曲げることは出来なかった。
しかし、既存の履物で、本発明の中敷きを使用することで、５本の足指が根元から折り曲げることができるように一部を切り落とすことにより、折り曲げた５本の足指がスムーズに折り曲げられ、しかもその高さは、折り曲げた際、地面にさわることがないような厚みを有しているもので、結果として足指に傷をつけることもない。
さらに切り落とした部分は５本の足指を折り曲げた際、痛くないように面取りを施したり、角を丸くしたりすることは言うまでもない。
【００１１】
以下、本発明の一実施例について図面に基づいて説明する。
本発明の足の踏ん張り力を向上させる中敷き１は、図１〜図６からも理解できるように、中敷きの先端部５を足指が付け根から曲げられるように親指の部分は略平行に切り落として、平行切り落とし部３を形成し、第２指から第５指の部分は略斜めに切り落として斜め切り落とし部４を形成したもので、親指と第２指の間の部分は切り落とさず、その上面に全体が弾力性のある部材、例えばシリコンゴムなどで高さのある指間パッド２を設ける。この指間パッド２の形状として最適なものは、指間パッド２の先端は細く、根本は太い、親指の高さよりも高い形状を有している。また、この指間パッド２は、別部材のものであるが、履物と一体で製作しても指の間にはさめる指間パッド２は、軟らかい材料で覆うなどして、痛いことのないようにすることが可能である。この指間パッド２は、足の踏ん張り力を向上させる曲げ伸ばし運動をする際に親指と、第２指〜第５指の間を分かれさすことによって、指の曲げ運動の際に、足指が内側にねじれながら曲がっていき、指同士が重なってしまうことを防ぐ（この際、踏ん張るためには、指先を曲げただけでは踏ん張れず、指の付け根（中足関節）から深く曲げる必要がある。）と同時に、足底筋群を鍛えるために、指の付け根、すなわち中足関節を曲げることができ、足裏のアーチが再生されて足底筋群が鍛えられる。さらに、曲げた時親指と第２指が合わさらないで外反母趾や、浮き指、偏平足を改善したり、防ぐことができるものである。つまり、真っ直ぐな足指を指の付け根の部分から曲げる運動を行うことができ、より好適に足の踏ん張り力を鍛えることができるものである。
【００１２】
また、５本の指の付け根から折り曲げられるように中敷きの先端を切り落としてある先端部に足指を引っ掛けて強く押すことができ、より足の踏ん張り力を鍛える運動として効果が向上するものである。
【００１３】
また、中敷きの他形状としては、親指と第２指、及び第４指と第５指の間に指間パッドを設けられ、中敷きの先端部に２ヶ所の切り落とさない部分を設けたものも考えられる。
これは、内反小指の改善や防止に役立つものである。なお、中敷きに足指パッドを最初から形成しても良いことはいうまでもない。
【産業上の利用可能性】
【００１４】
足に外反母趾、内反小指、浮き指、後天性の偏平足のある人だけでなく、健康な人でも利用でき、踏ん張り力の訓練だけでなく、リハビリやボケ防止の器具としても利用することができる。
【符号の説明】
【００１５】
１・・・・中敷き
２・・・・指間パット
３・・・・平行切り落とし部
４・・・・斜め切り落とし部
５・・・・先端部
【図１】
2017121389.tif 000003
【図２】
2017121389.tif 000004
【図３】
2017121389.tif 000005
【図４】
2017121389.tif 000006
【図５】
2017121389.tif 000007
【図６】
2017121389.tif 000008